(57)【要約】      （修正有）【課題】使い捨て式安全注射器の提供。【解決手段】一種の使い捨て式安全注射器、主にニードルアセンブリ４、突起部５、およびプランジャー７、キャップより構成する。そのうち、該ニードルアセンブリの端部に管状の出口部を設け、該出口部の内面に孔部４３１を形成し、薄状の破断部を取り巻く、ニードルアセンブリ表面端部の近傍に溝部４４を設けて、キャップを締結し固定する。さらに、該キャップの底面に垂直のカッターを設け、該プランジャーの頂点にフック７１を設け、注射器は注射完了後に、プランジャーに備えるフックによって、ニードルアセンブリ出口部の内側の孔部に引込み、キャップを回して、カッターより該破断部を切断し、ニードルをニードルアセンブリ内部に引き込んで、ニードルアセンブリを完全に破壊し、使用済みの注射器の回収使用を防止する。【選択図】図６
2007029720.tif 000002
【特許請求の範囲】
【請求項１】
ニードルアセンブリを設け、その端部出口部底面の中央場所に孔部を設け、端部の周りに破断部を設け、表面に垂直した端部に溝部を取り巻き、溝部の上部にねじ山を設け、
キャップを帽子状に設け、その中央部に突起部を貫通するための貫通孔を設け、側面の内側にネジ山を設けて、ニードルアセンブリの端部にねじ込み、その側面の底部にフックを設け、ニードルアセンブリの溝部に掛け、底部は間隔を置いて配列し、ニードルアセンブリの破断部に合せてカッターを設け、
プランジャーをニードルアセンブリ内部に設け、その頂点に縦式フックを設け、
前記構成要素を組み合わせることにより、注射完了後のプランジャーはフックによりニードルアセンブリ端部の開口部に掛けて保持され、キャップを回してカッターより、ニードルアセンブリの破断部を切断した後、プランジャーを引き込んで、突起部、ニードルをニードルアセンブリに引き込む、一種の使い捨て式安全注射器。
【請求項２】
該ニードルアセンブリ出口部底面の内側にシートを設け、該シートの中央場所に孔部を設けて、プランジャーは注射完了後、フックによりシートの孔部に掛けて保持することを特徴とする請求項１記載の使い捨て式安全注射器。
【請求項３】
該ニードルアセンブリ周りに備える破断部は、薄いシート状の凹み部を設けることを特徴とする請求項１記載の使い捨て式安全注射器。
【請求項４】
プランジャー頂点に備えるフックの底面に傾斜状段差部を設け、突起部とニードルを引き込んだ後に変位させ、回収利用または汚染による感染を防止できることを特徴とする請求項１記載の使い捨て式安全注射器。
【発明の詳細な説明】
【技術分野】
【０００１】
本発明は一種の使い捨て式安全注射器、特に注射後ニードルアセンブリを切断および引込みにより、ニードルをニードルアセンブリに引き込んで、ニードルアセンブリを完全に破壊し、再利用を防止する構造に関わるものである。
【背景技術】
【０００２】
通常の注射器は注射した後、ニードルはニードルアセンブリに取り付けた状態である。その処理方法は、一般としてニードルとニードルアセンブリを分離してから、それぞれに投棄する。しかしながら、注射器の構造体を破壊しないため、回収使用による汚染および病菌感染の恐れがある。よって、業者は様々な引込み方式注射器を開発し、再利用できないように、ニードルは注射後ニードルアセンブリに引き込む。そのうち、特許文献１（図１）は、ニードル１１にフック構造１１１を設け、プランジャー１２にフック１２１を設けて、注射した後、フック１２１はフック構造１１１に噛み合わせて、ニードル１１引き込むことを開示している。さらに、特許文献２（図２）において、引込み方式ニードル２１のほか、ニードル２１に合せて設けるプランジャー２２の先端に締結部２２１を設け、注射完了後該締結部２２１によりニードル２１を噛み合わせて、ニードルアセンブリに引き込む。さらに、図３に示す、特許文献３において、ニードル３１に引込み機構３１１を設けるほか、プランジャー３２の先端に締結部材３２１を設け、注射完了後プランジャー３２は締結部材３２１と引込み機構３１１と噛み合わせて、ニードルをニードルアセンブリに引き込む。前記の新案特許は、様々な方式によりプランジャーとニードルとの結合と引込みを実現している。しかしながら、薬液の漏れを防止するため、突起部とニードルアセンブリを緊密に結合し、引込みのとき、省力と操作便利性を配慮しなければならない。二つの構成部材の精密度、圧力対抗力、引張強度などのテストが必要ため、大量生産のとき問題を発生し、不良率が高いほか、生産コストの軽減が望めない。普遍的に利用できないため、理想と言えない。
【０００３】
本申請人は先般に図４に示す引込み式注射器を出願した内容は、主にニードルアセンブリ１０１、キャップ１０２およびプランジャー１０３の構成要素を備える。そのうち、該ニードルアセンブリ１０１の端部にニードル１０４と突起部１０５を設け、該出口底部の内側にねじ孔１０６を設け、ニードルアセンブリ１０１端部の周りは連続した突起溝１０７より構成する薄状の破断部を設け、該プランジャー１０３頂点の中央場所に棒状のボルト１０３１を設ける。
【０００４】
前記の構成要素を組み合わせることにより、引込み式安全注射器を構成する。使用のとき、プランジャー１０３によりニードルアセンブリ１０１内部の薬液を患者体内に注入し、注射完了後プランジャー１０３のボルト１０３１はニードルアセンブリ１０１のねじ孔１０６に固定し、プランジャー１０３を引き込むことにより、ニードルアセンブリ１０１の溝部１０７は引張力により破断し、突起部１０５とニードル１０４と合せて、ニードルアセンブリ１０１に引込み、使用済みの注射器の再使用、ニードル１０４による感染防止の目的を実現できる。
【０００５】
公知技術の欠点は前記の特許により、一部解消しているが、本発明人はさらに研究、改良を行い、本案の発明を考案し、注射器使用後の破壊をより簡単、確実、安全性を図る
【０００６】
【特許文献１】台湾特許第８８２１１１００号明細書
【特許文献２】台湾特許第９２２０１９１４号明細書
【特許文献３】台湾特許第９１２１６４９４号明細書
【発明の開示】
【発明が解決しようとする課題】
【０００７】
ニードルは注射完了後に切断および引込むことにより、使用がより便利に行え、気密問題を発生しない。より簡単に生産できるほか、不良率およびコストの低減を実現する、一種の使い捨て式安全注射器の提供を本発明の主な目的とする。
【０００８】
本発明による使い捨て式安全注射器は主に、ニードルアセンブリ、突起部、プランジャー、およびキャップより構成する。該ニードルアセンブリの端部に管状の出口部を設け、該出口部底面の内側に孔部を設け、端部の周りに薄状の破断部を取り巻く、ニードルアセンブリ表側の端部付近場所に溝部を設け、キャップを締結し固定する。そのうち、該キャップの底部端面に垂直のカッターを設け、該プランジャーの天面にフックを設ける。注射器は注射完了後、プランジャーに備えるフックの掛け合いにより、ニードルアセンブリ出口部内側の開口部に保持し、キャップを回してカッターより該破断部を切断し、ニードルをニードルアセンブリに引込み、使用後の注射器の再使用を防止する。
【０００９】
前記の注射器のプランジャーに備えるフックの底部端面に傾斜状段差部を設け、フックをニードルアセンブリ端部の孔部を通過した後、シートにしっかり掛け合って、プランジャーの引込みに備える。さらに、該傾斜状段差部により、引き込まれたニードルを変位させ、ニードルの押し出しを防止し、回収利用と汚染を確実に防止する。
【００１０】
前記の注射器に備えるニードルアセンブリの破断部は、薄い状の凹み部より構成し、キャプのカッターにより、その凹み部に沿って破断部を切断する。
【００１１】
前記の注射器によるニードルアセンブリ表面の端部近傍の場所に、溝部を周辺に取り巻いて設け、その中央部に通過孔を設けるほか、側面にフックを備えたキャップを設け、フックにより溝部と掛け合って、キャップを固定する。
【課題を解決するための手段】
【００１２】
請求項１の発明は、ニードルアセンブリを設け、その端部出口部底面の中央場所に孔部を設け、端部の周りに破断部を設け、表面に垂直した端部に溝部を取り巻き、溝部の上部にねじ山を設け、
キャップを帽子状に設け、その中央部に突起部を貫通するための貫通孔を設け、側面の内側にネジ山を設けて、ニードルアセンブリの端部にねじ込み、その側面の底部にフックを設け、ニードルアセンブリの溝部に掛け、底部は間隔を置いて配列し、ニードルアセンブリの破断部に合せてカッターを設け、
プランジャーをニードルアセンブリ内部に設け、その頂点に縦式フックを設け、
前記構成要素を組み合わせることにより、注射完了後のプランジャーはフックによりニードルアセンブリ端部の開口部に掛けて保持され、キャップを回してカッターより、ニードルアセンブリの破断部を切断した後、プランジャーを引き込んで、突起部、ニードルをニードルアセンブリに引き込む、一種の使い捨て式安全注射器としている。
請求項２の発明は、該ニードルアセンブリ出口部底面の内側にシートを設け、該シートの中央場所に孔部を設けて、プランジャーは注射完了後、フックによりシートの孔部に掛けて保持することを特徴とする請求項１記載の使い捨て式安全注射器としている。
請求項３の発明は、該ニードルアセンブリ周りに備える破断部は、薄いシート状の凹み部を設けることを特徴とする請求項１記載の使い捨て式安全注射器としている
請求項４の発明は、プランジャー頂点に備えるフックの底面に傾斜状段差部を設け、突起部とニードルを引き込んだ後に変位させ、回収利用または汚染による感染を防止できることを特徴とする請求項１記載の使い捨て式安全注射器としている。
【発明の効果】
【００１３】
本発明は一種の使い捨て式安全注射器の提供、ニードルは注射完了後に切断および引込むことにより、使用がより便利に行え、気密問題を発生しない。より簡単に生産できるほか、不良率およびコストの低減を実現する。
【発明を実施するための最良の形態】
【００１４】
図５、図６、図７、図８と図９を併せて参照する。本発明は主にニードルアセンブリ４、突起部５、キャップ６およびプランジャー７より構成する。そのうち、該ニードルアセンブリ４の端部４１に管状の出口部４２を設け、ニードル５１を備えた突起部５を挿入し固定する。出口部４２底部の内側にシート４３を設け、該シート４３の中央場所に孔部４３１を設け、ニードルアセンブリ４端部４１の周りに、薄いシート状の凹み部４１１より薄い状破断部を設け、ニードルアセンブリ４表面端部近傍の場所に、溝部４４を取り巻く、溝部４４の上部にねじ山４５を設ける。
【００１５】
キャップ６は帽子形状に設け、その中央部に通過孔６１を設け、側面に切欠き６２を設ける。側面の底部にフック６３を設け、側面の内側にネジ歯６４を設ける。その底部にニードルアセンブリ４の凹み部４１１に合せて、間隔を置いた縦式カッター６５を設け、キャップ６のネジ歯６４はニードルアセンブリ４の溝部４４上部に備えるネジ山４５に沿って、ニードルアセンブリ４の端部４１にねじ込み、底面のフック６３をニードルアセンブリ表面の溝部４４の上部端面に掛けておく。わずかな回数を回すことで、キャップ６を端部４１の上方よりつり下げて、カッター６５を凹み部４１１表面に当接し、該突起部５とニードルアセンブリ５１はキャップ６の通過孔６１によって、貫通される。
【００１６】
該プランジャー７頂点の中央部に縦式フック７１（本実施例において、椎茸形状とする）を設ける。フック７１の底面に、より大きい径により傾斜状段差部７１１を設け、プランジャー頭部の前端に長い形状の切欠き７２を設ける。
【００１７】
前記構成要素を組み合わせることにより、本案の使い捨て式安全注射器１００を構成する。使用のとき、プランジャー７により、ニードルアセンブリ４内部の薬液８を患者の体内に注射する。注射完了後、プランジャー７に備えるフック７１はニードルアセンブリ４のねじ孔４３１に掛けて、キャップ６を回して、下部に回す。カッター６５により凹み部４１１を切断した後、プランジャー７を引込み、出口部４２、突起部５、ニードル５１を合せてニードルアセンブリ４内部に引込み、使用済み注射器１００の再使用を防止し、ニードルアセンブリ８の完全破壊効果およびニードル５１による感染防止の目的を実現する。
【００１８】
図１０を参照する。本発明は使用するとき、薬液８はプランジャー７を引き込むことにより、薬液８をニードルアセンブリ４に吸入した後、注射のとき、プランジャー７は前方向に押して、薬液８を患者の体内に注射する。
【００１９】
図１１、図１２、図１３に示すとおり、注射完了後、プランジャー７は引き続き前方向に押して、フック７１をニードルアセンブリ４に備えるシート４３の孔部４３１に侵入し、孔部４３１を貫通した後、フック７１により、シート４３に掛けて、より確実に締結する。なお、シート４３の開口部４３１は上部が狭い下部が広い形状に設け、フック７１の進入および貫通を図る。フック７１により掛けた後、キャップ６を回して、下部へ回しながら、その底部に備えるカッター６５はニードルアセンブリ４の凹み部４１１に移動し、次第に下方へ移動し、該凹み部４１１を切断した後、ニードルアセンブリ４の端部４１とニードルアセンブリ４本体を分離した上、プランジャー７を引き込んで、突起部５、ニードル５１および切断後の端部４１と合せて、ニードルアセンブリ４に引込む。フック７１の底面に備える傾斜状段差部７１１により、固定部５とニードル５１を変位させ、ニードル５１の戻りを防止し、ニードルアセンブリ４を完全に破壊し、回収使用およびニードル５１による感染を防止する。
【００２０】
図１４に示すとおり、プランジャー７は一定の距離を引き込んだ後、長い切欠き７２はニードルアセンブリ４の開口部から折れて、注射器１００の使用を不能にする。
【００２１】
前記した説明のとおり、本発明の破断部を備えるニードルアセンブリ、フックを備えたプランジャー、キャップ構造の設計と合せて、注射器使用後ニードルアセンブリ内部に引込むことにより、ニードルアセンブリの完全破壊効果を実現し、回収使用を防止できるほか、本発明による使い捨て式安全注射器の生産コストおよび不良率軽減を実現できる。さらに、本発明人より圧力抵抗、引張力および引込み力について、テストしたところ、標準レベルを上回り、実用的、新規性を有する考案と確信する。
【図面の簡単な説明】
【００２２】
【図１】公知技術の注射器の断面図である。
【図２】もう一つの公知技術の注射器の断面図である。
【図３】さらに一つの公知技術の注射器の断面図である。
【図４】公知技術の注射器の立体分解図である。
【図５】本発明の立体図である。
【図６】本発明の立体分解図である。
【図７】本発明によるキャップの立体図である。
【図８】本発明によるキャップの立体図である。
【図９】本発明の断面視図である。
【図１０】本発明による注射実施の態様図である。
【図１１】本発明によるフックと孔部と保持する実施態様図である。
【図１２】本発明による切断の実施態様図である。
【図１３】本発明による引込みの実施態様図である。
【図１４】本発明によるプランジャー切断の実施態様図である。
【符号の説明】
【００２３】
１１、２１、３１、５１、１０４  ニードル
１１１  フック構造
１２、２２  プランジャー
６３、１２１  フック
２２１  締結部
３１１  引込み機構
３２  プランジャー
３２１  締結部材
４、１０１  ニードルアセンブリ
４１  端部
４１１  凹み部
４２  出口部
４３  シート
４３１  孔部
４４、１０７  溝部
４５  ねじ山
５、１０５  突起部
６  キャップ
６１  通過孔
６２  切欠き
６４  ネジ歯
６５  カッター
７  プランジャー
７１  フック
７２  切欠き
７１１  段差部
８  薬液
１００  注射器
１０２  キャップ
１０３  ボルト
１０６  ねじ孔
【図１】
2007029720.tif 000003
【図２】
2007029720.tif 000004
【図３】
2007029720.tif 000005
【図４】
2007029720.tif 000006
【図５】
2007029720.tif 000007
【図６】
2007029720.tif 000008
【図７】
2007029720.tif 000009
【図８】
2007029720.tif 000010
【図９】
2007029720.tif 000011
【図１０】
2007029720.tif 000012
【図１１】
2007029720.tif 000013
【図１２】
2007029720.tif 000014
【図１３】
2007029720.tif 000015
【図１４】
2007029720.tif 000016